(57)【要約】【課題】車両に装備されている既設のサンバイザーに取り付け、既設のサンバイザーの収納箇所に収納でき、しかも下方まで充分に降ろすことができ、しかも光源の入射方向に設置できる補助サンバイザーを提供すること。【解決手段】車両の天井部前方に装備された既設のサンバイザーに取り付ける車両用補助サンバイザーであって、既設のサンバイザーの先端に着脱自在に取り付けられる固定具と、固定具が取り付けられる既設のサンバイザーと平行に、かつ鉛直な軸周りに回動自在に固定具に取り付けられる半透明板材とから車両用補助サンバイザーを構成した。これにより、既設のサンバイザーを下方に展開して補助サンバイザーを回動させると既設のサンバイザーの下方に補助サンバイザーが垂下されるので、既設のサンバイザーの縦方向の長さ以上に補助サンバイザーを展開でき、視線の低い運転者の視界を補助サンバイザーで遮光できる。【選択図】  図１
2005014656.tif 000002
【特許請求の範囲】
【請求項１】
車両の天井部前方に装備された既設のサンバイザーに取り付ける車両用補助サンバイザーであって、
前記既設のサンバイザーの先端に着脱自在に取り付けられる固定具と、
前記固定具に、該固定具が取り付けられる前記既設のサンバイザーと平行に、かつ鉛直な軸周りに回動自在に取り付けられる半透明板材とから構成したことを特徴とする車両用補助サンバイザー。
【請求項２】
前記半透明板材の上部で、左右いずれかの側に中心よりずらして前記固定具を取り付けたことを特徴とする請求項１に記載の車両用補助サンバイザー。
【発明の詳細な説明】
【０００１】
【発明の属する技術分野】
本発明は、車両に装備された既設のサンバイザーに取り付けて用いる補助サンバイザーに関する。
【０００２】
【従来の技術】
車両に装備されているサンバイザーは、不透明の板状部材であり、下方に展開したとき、視界を大きく妨げないように縦方向の長さは１５ｃｍ程度である。
【０００３】
伸長の低い人にとっては、車両の装備されているサンバイザーを降ろしても、長さが充分でなく、低い位置から差し込む太陽を覆うことができないことがある。また、不透明であるため、視界を完全に遮ってしまい、使い難い場合がある。そこで、車両に装備されている既設のサンバイザーに装着する半透明の板材で形成された補助のサンバイザーが知られている。（例えば特許文献１参照。）。
【０００４】
【特許文献１】
実登第３０６６０９９号公報。
【０００５】
【発明が解決しようとする課題】
しかしながら、従来の補助サンバイザーは、既設のサンバイザーの収納スペースに収納できるようにサンバイザーの下端に屈曲自在に取り付け、既設のサンバイザーの下端を軸にして下方に展開させるものが多く、そのため補助サンバイザーを下方に展開しても装備されているサンバイザーの長さ以上には下方には下がらず、目線の低い運転者にとっては充分に遮光できない場合がある。
【０００６】
また、太陽光が差し込む方向は一定しないため、前方を全て覆うように補助サンバイザーを構成することは収納スペースとの関係から無理があり、また実用的でなくなることがある。
【０００７】
本発明は、車両に装備されている既設のサンバイザーに取り付け、既設のサンバイザーの収納箇所に収納でき、しかも下方まで充分に降ろすことができ、しかも光源の入射方向に設置できる補助サンバイザーを提供することを目的とする。
【０００８】
【課題を解決するための手段】
本発明は上記課題を解決するため、車両用補助サンバイザーを次のように構成した。
【０００９】
請求項１に記載の発明は、車両の天井部前方に装備された既設のサンバイザーに取り付ける車両用補助サンバイザーであって、前記既設のサンバイザーの先端に着脱自在に取り付けられる固定具と、前記固定具に、該固定具が取り付けられる前記既設のサンバイザーと平行に、かつ鉛直な軸周りに回動自在に取り付けられる半透明板材とから車両用補助サンバイザーを構成した。
【００１０】
これにより、既設のサンバイザーを下方に展開して補助サンバイザーを回動させると既設のサンバイザーの下方に補助サンバイザーが垂下されるので、既設のサンバイザーの縦方向の長さ以上に補助サンバイザーを展開でき、視線の低い運転者の視界を補助サンバイザーで遮光できる。
【００１１】
請求項２に記載の発明は、請求項１に記載の車両用補助サンバイザーであって、前記半透明板材の上部で、左右いずれかの側に中心よりずらして前記固定具を取り付けたこととした。これにより、既設のサンバイザーの収納スペースに補助サンバイザーを収納したとき、ほぼ同一の収納スペース内に補助サンバイザーを収納できる。
【００１２】
【発明の実施の形態】
以下、本発明にかかる補助サンバイザーの一実施形態を、図面を参照しながら説明する。
【００１３】
車内の状態を図５に示す。すなわち、ルームミラー１２の側方に既設のサンバイザー１０が設置され、下方に展開されたサンバイザー１０の下端に、補助サンバイザー２が取り付けられている。
【００１４】
補助サンバイザー２は、図１に示すように板材４と、板材４の上方に取り付けられた固定具６からなり、固定具６が軸８を中心に板材４に回動自在に取り付けられている。
【００１５】
板材４は、アクリル、ポリカーボネートなどの透明樹脂材からなり、適度な遮光性を有する半透明に着色され、長さはサンバイザー１０の長手方向の長さより短く、幅もサンバイザー１０の縦方向の長さとほぼ同等となっている。また板材４には、軸８を中心とした約１／４周の円弧状の切欠き１１が形成されている。
【００１６】
固定具６は、全体がＵ字状で、既設のサンバイザー１０の下端に着脱自在となるばね力を有する金属あるいは樹脂製で、板材４の上部で左方に寄った位置に取り付けられている。固定具６は、サンバイザー１０に取り付け、板材４を垂下しても、サンバイザー１０から容易に落下しない程度の保持力を有している。また固定具６には、図３に示すように先端部分を板材４に形成された切欠き１１内に挿入したピン９が軸８と平行に取り付けられており、板材４を回動させると切欠き１１の上端部がピン９に当接し、板材４をほぼ垂直に垂下された状態に保持する。
【００１７】
既設のサンバイザー１０は、不透明の板材から構成された車両一般に通常装備されているサンバイザーであり、天井部１４に取り付けられ、天井部１４に沿って収納された状態から下方に展開し、また側方にも回転可能となっている。またサンバイザー１０の下端右方には、図１に示すように係止片７が取り付けられている。係止片７はサンバイザー１０にばね力で嵌合しており、図２に示すように段部に補助サンバイザー２が係止し、収納できるようになっている。
【００１８】
次に補助サンバイザー２の用い方について説明する。
【００１９】
補助サンバイザー２は、図２に示すように既設のサンバイザー１０の先端に固定具６を差し入れ固定し、かつ軸８回りに二点鎖線に示すように回動させ、係止片７に係止し、図４に示すようにサンバイザー１０と天井部１４の間に収納する。補助サンバイザー２は、長さ、幅ともサンバイザー１０の長さ幅より小さいので、若干手前に突出する部分があっても図４に示すようにサンバイザー１０の収納部分に収納される。
【００２０】
太陽が低く、太陽光が目に入射する場合は、サンバイザー１０を下方に展開するとともに、軸８を中心に補助サンバイザー２を回転させ、サンバイザー１０の下端にサンバイザー１０と平行に補助サンバイザー２を垂下する。すると、ピン９により垂直に保持されるとともに補助サンバイザー２は長手方向の長さが長いため、図５に示すように下方にまで延設され、運転時の目線が低い場合でも充分な遮光性が得られる。
【００２１】
また、太陽光が斜め前方から入射するときは、固定具６の取り付け位置をサンバイザー１０の下端に沿って変更し、補助サンバイザー２を入射方向に合致させて遮光する。補助サンバイザー２は半透明であるので、太陽光等の光源が直接目に入ることを防止するとともに、光を透過させるので視界を遮ることがない。
【００２２】
そして、遮光の必要がなくなったらサンバイザー１０を天井部１４側に押し上げる。すると補助サンバイザー２は、軸８回りに回転し図４に示すように収納される。
【００２３】
尚、固定具６をＵ字状としたが、本発明はこれに限るものではなく、クリップ状にばね力でサンバイザー１０の下端を挟む形式のものでもよい。また、固定具は一つに限らず複数設け、複数の固定具に対して板材４を回動自在に取り付ければよい。また軸８は、サンバイザー１０を下方に展開したとき板材４が自然に回動するように設定しても、ある程度の抵抗力を備え手で補助サンバイザー２を回動して垂下させるように設定してもよい。補助サンバイザー２を任意の角度で固定できるように回転に抵抗力を付与した場合は、ピン９がなくともよい。
【００２４】
また、板材４の下方に係止片７を取り付け、二点鎖線で示すように既設のサンバイザー１０に上面に補助サンバイザー２を収納すると、係止片７がサンバイザー１０の端部に嵌合し、収納状態を保持するようにしてもよい。
【００２５】
また、上記例では運転席側のサンバイザー１０について説明したが、本発明の補助サンバイザーは、助手席側のサンバイザーに取り付けてもよい。その場合は、固定具６を板材４の右側に寄せて取り付けるほうがよい。更に、固定具６は、サンバイザー１０の下端でなく、サンバイザー１０の他の箇所に固定してもよい。
【００２６】
更に、サンバイザー１０の下端に垂下したとき、垂直になるよう固定具６の取り付け位置を変更したり、重心の位置を設定してもよい。
【００２７】
【発明の効果】
請求項１に記載の発明は、車両の天井部前方に装備された既設のサンバイザーに取り付ける車両用補助サンバイザーであって、既設のサンバイザーの先端に着脱自在に取り付けられる固定具と、固定具に、固定具が取り付けられる既設のサンバイザーと平行に、かつ鉛直な軸周りに回動自在に取り付けられる半透明板材とから車両用補助サンバイザーを構成したので、既設のサンバイザーを下方に展開して補助サンバイザーを回動させると既設のサンバイザーの下方に補助サンバイザーが垂下されるので、既設のサンバイザーの縦方向の長さ以上に補助サンバイザーを展開でき、視線の低い運転者の視界を補助サンバイザーで遮光できる。
【００２８】
請求項２に記載の発明は、請求項１に記載の車両用補助サンバイザーであって、半透明板材の上部で、左右いずれかの側に中心よりずらして固定具を取り付けたこととしたので、既設のサンバイザーの収納スペースに補助サンバイザーを収納したとき、ほぼ同一の収納スペース内に補助サンバイザーを収納できる。
【図面の簡単な説明】
【図１】本発明にかかる補助サンバイザーの一実施形態を示す斜視図である。
【図２】本発明にかかる補助サンバイザーの一実施形態を示す斜視図である。
【図３】固定具を示す図である。
【図４】本発明にかかる補助サンバイザーの一実施形態を示す側面図である。
【図５】補助サンバイザーの使用状態を示す側面図である。
【図６】補助サンバイザーの他の実施形態を示す斜視図である。
【符号の説明】
２  ；  補助サンバイザー
４  ；  板材
６  ；  固定具
７  ；  係止片
８  ；  軸
１０  ；サンバイザー
１２  ；ルームミラー
１４  ；天井部
【図１】
2005014656.tif 000003
【図２】
2005014656.tif 000004
【図３】
2005014656.tif 000005
【図４】
2005014656.tif 000006
【図５】
2005014656.tif 000007
【図６】
2005014656.tif 000008